(57)【要約】【課題】本発明は、可撓性表示スクリーンを支持するための支持構造を有する電子装置を提供する。【解決手段】本発明に係る電子装置は、スロットが設けられている本体及び本体内に巻き取られ且つスロットから本体に対して展開することができる可撓性ディスプレイを備えている。可撓性ディスプレイは、展開された可撓性ディスプレイを真っ直ぐにするための磁力を発生させる複数の第１の磁性部を備え、電子装置は、さらに、本体の外表面に巻き取られる支持構造を備え、支持構造は、一端がスロットを介して本体内に回転可能に枢着され、且つ本体に対して展開して可撓性ディスプレイを支持することができる。【選択図】図２
2015036994.tif 000002
【特許請求の範囲】
【請求項１】
スロットが設けられている本体と、前記本体内に巻き取られるように及び前記スロットから前記本体に対して展開されるように構成されている可撓性ディスプレイと、を備えている電子装置において、
前記可撓性ディスプレイは、展開された可撓性ディスプレイを真っ直ぐにするための磁力を発生させる複数の第１の磁性部を備えており、
前記電子装置は、前記本体の外表面に巻き取られる支持構造を備えており、
前記支持構造の一端が、前記スロットを介して前記本体内に回転可能に枢着され、且つ、前記本体に対して展開して可撓性ディスプレイを支持することができることを特徴とする電子装置。
【請求項２】
前記支持構造は、第２の磁性部を備えており、
前記支持構造が展開された場合には、前記支持構造は、真っ直ぐな状態になった可撓性ディスプレイの下方に位置し、前記第２の磁性部は、前記支持構造を真っ直ぐにし、且つ、前記可撓性ディスプレイの第１の磁性部に引き寄せられることを特徴とする請求項１に記載の電子装置。
【請求項３】
前記支持構造は、支持部を備えており、
前記支持部は、第１の端部と、前記第１の端部に対向して位置する第２の端部とを備えており、
前記第１の端部は、前記本体の外表面に貼付され、
前記第２の端部は、前記本体内に回転自在に収容されることを特徴とする請求項１又は２に記載の電子装置。
【請求項４】
前記可撓性ディスプレイは、当接部を備えており、
前記当接部は、前記可撓性ディスプレイの自由端から湾曲して形成されており、前記可撓性ディスプレイが前記本体内に完全に収容された場合に前記本体に当接され、
前記第１の端部から第２の端部に至るまでの距離は、前記可撓性ディスプレイが完全に展開された場合における前記当接部から前記本体に至るまでの距離に等しいことを特徴とする請求項３に記載の電子装置。
【発明の詳細な説明】
【技術分野】
【０００１】
本発明は、電子装置に関し、特に支持構造を有する電子装置に関する。
【背景技術】
【０００２】
電子装置の小型化に伴い、多くの電子装置が、従来の剛性表示スクリーンに代わって可撓性表示スクリーンを採用している。従来の可撓性ディスプレイ装置は、本体、可撓性表示スクリーン及び複数の電気磁石を備える。本体に巻き取られる可撓性表示スクリーンは、本体から展開することが可能であり、複数の電気磁石は、展開方向に沿った可撓性表示スクリーンの２つの対向する辺縁に配置されている。可撓性ディスプレイ装置を使用する場合、可撓性表示スクリーンを本体から展開させる。この際、同一の辺縁に設置された２つの隣接する電気磁石は、展開された可撓性表示スクリーンの２つの対向する辺縁を補強するための磁力を発生させる。これにより、可撓性表示スクリーンの辺縁は硬くなり、展開された可撓性表示スクリーンは平らになる。ユーザが可撓性表示スクリーンを本体内に巻回する必要がある場合、電気磁石に供給されている電力を断開し、電気磁石によって発生した磁力を消失させる。これにより、可撓性表示スクリーンは本体内に巻回されることができる。しかし、可撓性表示スクリーンが展開されている時、可撓性表示スクリーンの中央は、比較的柔軟であるため、タッチ操作に不便である。
【発明の概要】
【発明が解決しようとする課題】
【０００３】
前記課題を解決するために、本発明は、可撓性表示スクリーンを支持するための支持構造を有する電子装置を提供する。
【課題を解決するための手段】
【０００４】
本発明に係る電子装置は、スロットが設けられている本体と、本体内に巻き取られるように及びスロットから本体に対して展開されるように構成されている可撓性ディスプレイと、を備えている。可撓性ディスプレイは、展開された可撓性ディスプレイを真っ直ぐにするための磁力を発生させる複数の第１の磁性部を備えており、電子装置は、本体の外表面に巻き取られる支持構造を備えており、支持構造の一端が、スロットを介して本体内に回転可能に枢着され、且つ、本体に対して展開して可撓性ディスプレイを支持することができる。
【発明の効果】
【０００５】
従来の技術と比べて、本発明の電子装置において、可撓性ディスプレイを展開させる場合、本体に巻き取られている支持構造を展開させ且つ可撓性ディスプレイと磁気に吸引することにより、可撓性ディスプレイを支持することができる。これにより、可撓性ディスプレイのタッチ操作の安定性を向上することができる。
【図面の簡単な説明】
【０００６】
【図１】本発明の実施形態に係る電子装置の斜視図である。
【図２】図１に示した電子装置が展開される時の状態を示す斜視図である。
【図３】図２に示した電子装置の分解斜視図である。
【図４】図１に示した電子装置のＩＶ―ＩＶに沿った断面図である。
【発明を実施するための形態】
【０００７】
本発明の実施形態について、図面を参照して以下に説明する。
【０００８】
図１〜図３を参照すると、本発明の実施形態に係る電子装置１００は、本体１０、可撓性ディスプレイ３０、及び支持構造５０を備えている。可撓性ディスプレイ３０は、本体１０内に巻き取られる一方、その一部は本体１０から露出するようになっている。支持構造５０は、本体１０の外周面に沿って巻き取られる。可撓性ディスプレイ３０及び支持構造５０は、本体１０から引き出して展開することができる。この際には、支持構造５０は、可撓性ディスプレイ３０を支持するために、可撓性ディスプレイ３０の下方に配置されている。
【０００９】
本体１０は、ケーシング１１及び固定軸１９（図４を参照）を備えている。ケーシング１１は、中空の円筒である。ケーシング１１には、ケーシング１１の長手方向に沿ってスロット１２及び２つの止まり穴１３が設けられており、この２つの止まり穴１３は、スロット１２の２つの対向する底面に形成されている。固定軸１９は、ケーシング１１内に回転自在に固定され且つ本体１０と同軸に配置されている。さらに、ケーシング１１は、表示部１５及び制御部１７を備えている。この表示部１５及び制御部１７は、ケーシング１１の外表面上に並列に配置されている。表示部１５は、バッテリー寿命、現在の状態及び現在の時刻等の電子装置１００の情報を表示するために用いられる。制御部１７を時計回りの方向又は反時計回りの方向に沿って所定の角度に回転させることによって、固定軸１９は、時計回りの方向又は反時計回りの方向に沿って回転するように駆動される。これにより、可撓性ディスプレイ３０を本体１０から展開する又は本体１０内に巻回することができる。本実施形態では、制御部１７は、ユーザの操作によって回転可能とされる。さらに、本体１０内には、電源、駆動素子、スピーカー等の他の電子素子（図示しない）が設置されている。他の実施形態では、ケーシング１１が略矩形状とされる場合があり、この場合には、表示部１５及び制御部１７はケーシング１１の対向する底面に設置されている。
【００１０】
可撓性ディスプレイ３０は、可撓性表示部３１、当接部３３、及び複数の第１の磁性部３５を備えている。可撓性表示部３１は、略矩形状に形成されており、固定軸１９に巻き取られるか、又は略平坦な状態（即ち、巻き取られる前の延在している状態）で画像や文字を表示するように固定軸１９に対して展開され得る。また、可撓性表示部３１は、固定端３１２及び固定端３１２の反対側に位置する自由端３１４を含んでいる。固定端３１２は、固定軸１９上に固定されている。当接部３３は、自由端３１４から下方に湾曲して形成されており、且つ、スロット１２に対応して設置されている。可撓性表示部３１がケーシング１１内に完全に収容された場合には、当接部３３は、可撓性表示部３１の位置を制限するようにケーシング１１に当接されるので、可撓性表示部３１が本体１０内に全て巻回されるのを防止することができる。同時に、ユーザは、当接部３３を引っ張ることによって、可撓性表示部３１を本体１０に対して展開することができる。複数の第１の磁性部３５は、所定の距離で離間して設置されており、それぞれ可撓性表示部３１の互いに反対側に位置する長手方向の辺縁に２列に配列されている。第１の磁性部３５それぞれの極性は、同一方向に配向されている。本実施形態では、第１の磁性部３５は、電気磁石とされる。
【００１１】
支持構造５０は、本体１０の外表面を覆っているが、本体１０の軸線と垂直する方向に展開することができる。支持構造５０は、支持部５１及び２つのピボット５３を含んでいる。支持部５１は、略矩形に形成されており、可撓性材料から成り、且つ、ケーシング１１の外表面に沿って巻き取られるようになっている。支持部５１は、第１の端部５１１、第１の端部５１１に対向して位置する第２の端部５１２、及び第２の磁性部５１４を備えている。第１の端部５１１は、ケーシング１１の外表面に貼付され、第２の端部５１２は、略「Ｌ」字状に形成されており、且つ、ケーシング１１内に回転自在に収容されるようになっている。複数の第２の磁性部５１４は、略矩形状に形成されており、且つ、それぞれ第１の磁性部３５に対応している。第１の端部５１１から第２の端部５１２に至るまでの距離は、ケーシング１１の底面の周囲の寸法に等しく、且つ、可撓性表示部３１の固定端３１２から自由端３１４に至るまでの距離に等しい。第２の端部５１２は、制御部１７及びケーシング１１内に設置されたモーター（図示しない）によって回転される。本実施形態では、第２の磁性部５１４は、電気磁石とされる。
【００１２】
２つのピボット５３は、第２の端部５１２の２つの対向する底面に設置され、且つ、それぞれ止まり穴１３に回転可能に枢着されている。さらに、本実施形態では、支持構造５０は、粘着構造（図示しない）を備えている場合がある。支持構造５０がケーシング１１に沿って巻き取られた場合には、この粘着構造が、ケーシング１１と粘着するようになっている。これにより、支持構造５０は、ケーシング１１上に安定して付着することができる。他の実施形態では、第２の磁性部５１４が、第１の磁性部３５の一部分と重なっている場合がある。
【００１３】
図４を参照すると、可撓性ディスプレイ３０がケーシング１１内に収容された場合には、可撓性表示部３１は固定軸１９に巻き取られ、当接部３３はケーシング１１に当接され、支持構造５０はケーシング１１の外表面に巻き取られ、ピボット５３は止まり穴１３に回転可能に枢着される。電子装置１００を収容状態から展開状態に切り替えた場合には、時計回りの方向に沿って所定の角度に制御部１７を回転させると、制御部１７は、可撓性表示部３１をケーシング１１内から外部に向けて移動させるように固定軸１９を駆動する。可撓性表示部３１がケーシング１１に対して展開された場合には、可撓性表示部３１の２つの対向する辺縁は、第１の磁性部３５が発生させた磁力によって真っ直ぐな状態になる。次に、支持構造５０の第１の端部５１１を引っ張ると、支持部５１をケーシング１１から展開させることができる。支持部５１がケーシング１１に対して完全に展開されて真っ直ぐな状態になった場合には、第１の端部５１１は当接部３３と位置合わせされ、第２の磁性部５１４は支持部５１を真っ直ぐにし、且つ、可撓性表示部３１を支持するように対応する第１の磁性部３５に引き寄せられる。
【００１４】
電子装置１００を展開状態から収容状態に切り替えた場合には、最初に、第１の磁性部３５の電源をオフにして、支持部５１と可撓性表示部３１とを分離させ、次に、反時計回りの方向に沿って所定の角度に制御部１７を回転させる。このとき、制御部１７は、可撓性表示部３１をケーシング１１内に巻回させるように固定軸１９を駆動させ、当接部３３がケーシング１１に当接されると、固定軸１９は回転を停止し、その後に、反時計回りの方向に沿って支持部５１を回転させる。これにより、支持構造５０がケーシング１１の外表面を覆うようになる。
【符号の説明】
【００１５】
１００  電子装置
１０  本体
１１  ケーシング
１２  スロット
１３  止まり穴
１５  表示部
１７  制御部
１９  固定軸
３０  可撓性ディスプレイ
３１  可撓性表示部
３１２  固定端
３１４  自由端
３３  当接部
３５  第１の磁性部
５０  支持構造
５１  支持部
５１１  第１の端部
５１２  第２の端部
５１４  第２の磁性部
５３  ピボット
【図１】
2015036994.tif 000003
【図２】
2015036994.tif 000004
【図３】
2015036994.tif 000005
【図４】
2015036994.tif 000006